【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
移植対象物が所定個数ずつ人手により補給される、上端と下端に開口を有する供給カップが、同一平面上においてループ状に複数個配置された回転可能な供給部と、
前記供給部の直ぐ下側に、前記平面に実質上平行に固定配置された板状部材と、
所定のルートを上下動して、前記供給部から供給される前記移植対象物を一時的に保持した状態で圃場に植え付けていく植付具とを備え、
前記板状部材には、前記移植対象物を前記植付具に供給するための供給口が形成されており、
前記供給口の上側を前記供給カップが通過する際に、前記植付具が上方に位置し、
前記供給口から落下する前記移植対象物を前記植付具の内側空間に案内する筒状の案内ガイドを備え、
少なくとも前記供給口の上側を前記供給カップが通過する際に、前記供給口の真上から真下方向を見た時、前記供給口は前記案内ガイドの内周側領域内に位置する、移植機。
【請求項２】
前記供給口の全部または一部を開閉するための、前記供給カップの下方に回動自在に配置された開閉蓋と、
前記開閉蓋を開く方向に付勢する弾性部材と、
ｉ）前記供給カップが少なくとも前記供給口を通過し始めてから所定の位置に至るまでは、前記開閉蓋に当接することよって前記弾性部材の付勢に逆らって前記開閉蓋を回動させ、前記移植対象物が落下しないように前記供給口の全部または一部を閉じ、ｉｉ）前記所定の位置を過ぎると、前記当接が解除されることによって前記弾性部材の付勢により前記開閉蓋を回動させ、前記供給口の全部または一部を開く、前記供給部の外周側に配置された開閉蓋作動制御部材と、
を備えた、請求項１に記載の移植機。
【請求項３】
前記開閉蓋作動制御部材は、前記回転可能な供給部の前記外周部において下方に突き出して前記供給カップに対応して配置された複数の凸状部材であり、
前記開閉蓋が前記供給口の全部または一部を開いた際、前記開閉蓋は、次に前記供給口を通過する前記供給カップに対応して配置された前記凸状部材により当接される、請求項２に記載の移植機。
【請求項４】
前記開閉蓋を回動自在に支持するための支持部材は、前記供給カップの前記ループ状の配置位置より内側に対応する位置に取り付けられている、請求項２又は３に記載の移植機。
【請求項５】
前記供給部の外周に設けられ、前記移植対象物を載せる移植対象物載せ部と、
前記移植対象物載せ部へ前記移植対象物を送り出すためのシューターと、を備え、
前記移植対象物載せ部の内、前記シューターに近い方の底面の高さより、遠い方の底面の高さの方が低く形成されており、
前記板状部材は、前記移植機の本体フレームに固定されており、前記固定の際に、前記板状部材の前記本体フレームに対する位置調整のための位置調整機構を有しており、且つ、前記板状部材は、前記供給口としての扇状の切り欠き部を有する円形状部材であり、
前記位置調整機構により、前記移植対象物の落下位置及び落下タイミングを調整するものであり、
前記板状部材には、前記扇状の切り欠き部の二辺の内、前記供給部の回転方向を基準とした場合の下流側の一辺から前記平面より下方に向けて上流側に突き出している傾斜板が形成されている、請求項３又は４に記載の移植機。
【手続補正２】
【補正対象書類名】明細書
【補正対象項目名】００１５
【補正方法】変更
【補正の内容】
【００１５】
上記課題を解決するために、第１の本発明は、
移植対象物が所定個数ずつ人手により補給される、上端と下端に開口を有する供給カップが、同一平面上においてループ状に複数個配置された回転可能な供給部と、
前記供給部の直ぐ下側に、前記平面に実質上平行に固定配置された板状部材と、
所定のルートを上下動して、前記供給部から供給される前記移植対象物を一時的に保持した状態で圃場に植え付けていく植付具とを備え、
前記板状部材には、前記移植対象物を前記植付具に供給するための供給口が形成されており、
前記供給口の上側を前記供給カップが通過する際に、前記植付具が上方に位置し、
前記供給口から落下する前記移植対象物を前記植付具の内側空間に案内する筒状の案内ガイドを備え、
少なくとも前記供給口の上側を前記供給カップが通過する際に、前記供給口の真上から真下方向を見た時、前記供給口は前記案内ガイドの内周側領域内に位置する、移植機である。
これにより、落下する移植対象物が案内ガイドに衝突して植付具への供給が不適正になるようなことを抑え、移植対象物を適正且つ円滑且つ確実に供給できる移植機を提供することが出来る。
また、第２の本発明は、
前記供給口の全部または一部を開閉するための、前記供給カップの下方に回動自在に配置された開閉蓋と、
前記開閉蓋を開く方向に付勢する弾性部材と、
ｉ）前記供給カップが少なくとも前記供給口を通過し始めてから所定の位置に至るまでは、前記開閉蓋に当接することよって前記弾性部材の付勢に逆らって前記開閉蓋を回動させ、前記移植対象物が落下しないように前記供給口の全部または一部を閉じ、ｉｉ）前記所定の位置を過ぎると、前記当接が解除されることによって前記弾性部材の付勢により前記開閉蓋を回動させ、前記供給口の全部または一部を開く、前記供給部の外周側に配置された開閉蓋作動制御部材と、
を備えた、上記第１の本発明の移植機である。
これにより、保守点検を従来に比べて容易にできる移植機を提供することが出来る。
また、第３の本発明は、
前記開閉蓋作動制御部材は、前記回転可能な供給部の前記外周部において下方に突き出して前記供給カップに対応して配置された複数の凸状部材であり、
前記開閉蓋が前記供給口の全部または一部を開いた際、前記開閉蓋は、次に前記供給口を通過する前記供給カップに対応して配置された前記凸状部材により当接される、上記第２の本発明の移植機である。
これにより、供給カップの開閉蓋を不要とし、シンプルな構造で種芋を適正且つ円滑に供給できると共に、部品点数を削減出来得る移植機を提供することが出来る。また、開閉蓋の数を１つにして保守点検を従来に比べて容易にできる移植機を提供することが出来る。
また、第４の本発明は、
前記開閉蓋を回動自在に支持するための支持部材は、前記供給カップの前記ループ状の配置位置より内側に対応する位置に取り付けられている、上記第２又は３の本発明の移植機である。
これにより、開閉蓋を簡単に取り付けることが出来る移植機を提供することが出来る。
また、第５の本発明は、
前記供給部の外周に設けられ、前記移植対象物を載せる移植対象物載せ部と、
前記移植対象物載せ部へ前記移植対象物を送り出すためのシューターと、を備え、
前記移植対象物載せ部の内、前記シューターに近い方の底面の高さより、遠い方の底面の高さの方が低く形成されており、
前記板状部材は、前記移植機の本体フレームに固定されており、前記固定の際に、前記板状部材の前記本体フレームに対する位置調整のための位置調整機構を有しており、且つ、前記板状部材は、前記供給口としての扇状の切り欠き部を有する円形状部材であり、
前記位置調整機構により、前記移植対象物の落下位置及び落下タイミングを調整するものであり、
前記板状部材には、前記扇状の切り欠き部の二辺の内、前記供給部の回転方向を基準とした場合の下流側の一辺から前記平面より下方に向けて上流側に突き出している傾斜板が形成されている、上記第３又は４の本発明の移植機である。
これにより、移植対象物載せ部の内、作業者が移植対象物を取り出す部分を低くでき、前記部分に移植対象物が円滑に供給されやすくなるため、作業者が移植対象物を取りやすくなるので、作業者への負担を軽減し、作業性を向上できる移植機を提供する。また、移植機毎に簡単な構造で移植対象物の落下位置及び落下タイミングを調整することが出来るのでより確実に移植作業が行える移植機を提供することが出来る。また、供給カップの回転動作がスムーズに行える移植機を提供することが出来る。
また、本発明に関連する第１発明は、
移植対象物が所定個数ずつ人手により補給される、上端と下端に開口を有する供給カップが、同一平面上においてループ状に複数個配置された回転可能な供給部と、
前記供給部の直ぐ下側に、前記平面に実質上平行に固定配置された板状部材と、
所定のルートを上下動して、前記供給部から供給される前記移植対象物を一時的に保持した状態で圃場に植え付けていく植付具とを備え、
前記板状部材には、前記移植対象物を前記植付具に供給するための供給口が形成されており、
前記供給口の上側を前記供給カップが通過する際に、前記植付具が上方に位置する、移植機である。
【手続補正３】
【補正対象書類名】明細書
【補正対象項目名】００１７
【補正方法】変更
【補正の内容】
【００１７】
また、本発明に関連する第２発明は、
前記供給口から落下する前記移植対象物を前記植付具の内側空間に案内する筒状の案内ガイドを備え、
少なくとも前記供給口の上側を前記供給カップが通過する際に、前記供給口の真上から真下方向を見た時、前記供給口は前記案内ガイドの内周側領域内に位置するものである、上記本発明に関連する第１発明の移植機である。
【手続補正４】
【補正対象書類名】明細書
【補正対象項目名】００１９
【補正方法】変更
【補正の内容】
【００１９】
また、本発明に関連する第３発明は、
前記供給部の外周に設けられ、前記移植対象物を載せる移植対象物載せ部と、
前記移植対象物載せ部へ前記移植対象物を送り出すためのシューターと、を備え、
前記移植対象物載せ部の内、前記シューターに近い方の底面の高さより、遠い方の底面の高さの方が低い、上記本発明に関連する第１又は第２発明の移植機である。
【手続補正５】
【補正対象書類名】明細書
【補正対象項目名】００２１
【補正方法】変更
【補正の内容】
【００２１】
また、本発明に関連する第４発明は、
前記供給口の全部または一部を開閉するための、前記供給カップの下方に回動自在に配置された開閉蓋と、
前記開閉蓋を開く方向に付勢する弾性部材と、
ｉ）前記供給カップが少なくとも前記供給口を通過し始めてから所定の位置に至るまでは、前記開閉蓋に当接することよって前記弾性部材の付勢に逆らって前記開閉蓋を回動させ、前記移植対象物が落下しないように前記供給口の全部または一部を閉じ、ｉｉ）前記所定の位置を過ぎると、前記当接が解除されることによって前記弾性部材の付勢により前記開閉蓋を回動させ、前記供給口の全部または一部を開く、前記供給部側に固定された開閉蓋作動制御部材と、
を備えた、上記本発明に関連する第１〜第３発明の何れかの発明の移植機である。
【手続補正６】
【補正対象書類名】明細書
【補正対象項目名】００２３
【補正方法】変更
【補正の内容】
【００２３】
また、本発明に関連する第５発明は、
前記開閉蓋は、前記板状支持部材に回動自在に固定されており、
前記開閉蓋作動制御部材は、前記回転可能な供給部の外周部において下方に突き出して前記供給カップに対応して配置された複数の凸状部材であり、
前記開閉蓋が前記供給口の全部または一部を開いた際、前記開閉蓋は、次に前記供給口を通過する前記供給カップに対応して配置された前記凸状部材により当接される、上記本発明に関連する第４発明の移植機である。
【手続補正７】
【補正対象書類名】明細書
【補正対象項目名】００２５
【補正方法】変更
【補正の内容】
【００２５】
また、本発明に関連する第６発明は、
前記板状部材は、前記移植機の本体フレームに固定されており、前記固定の際に、前記板状部材の前記本体フレームに対する位置調整のための位置調整機構を有しており、
前記位置調整機構により、前記移植対象物の落下位置及び落下タイミングを調整する、上記本発明に関連する第４又は第５発明の移植機である。
【手続補正８】
【補正対象書類名】明細書
【補正対象項目名】００２７
【補正方法】変更
【補正の内容】
【００２７】
また、本発明に関連する第７発明は、
前記開閉蓋を回動自在に支持するための支持部材は、前記供給カップの前記ループ状の配置位置より内側に対応する位置に取り付けられている、上記本発明に関連する第４〜第６発明の何れかの発明の移植機である。
【手続補正９】
【補正対象書類名】明細書
【補正対象項目名】００２９
【補正方法】変更
【補正の内容】
【００２９】
また、本発明に関連する第８発明は、
前記板状部材は、前記供給口としての扇状の切り欠き部を有する円形状部材であり、
前記扇状の切り欠き部の二辺の内、前記供給部の回転方向を基準とした場合の下流側の一辺から前記平面より下方に向けて上流側に突き出している傾斜板が形成されている、上記本発明に関連する第４〜第７発明の何れかの発明の移植機である。